(57)【要約】【課題】稼動しているＬＥＤランプによる熱を外部に放熱でき、ＬＥＤランプの発光効率が降下せず、寿命が長くなるＬＥＤ照明装置用放熱構造を提供する。【解決手段】上ケースを含み、上ケースは一つの上板と複数のサイド板とから構成される収容空間を含み、収容空間内に嵌合体が複数設けられ、複数の嵌合体により上板の底面に複数のＬＥＤ回路板がそれぞれ嵌合され、上板には、各ＬＥＤ回路板に応じて貫通孔がそれぞれ設けられ、各貫通孔に一つの熱伝導片が配され、熱伝導片には、少なくとも一つの放熱部と、複数の熱伝導部と、が形成され、熱伝導部がＬＥＤ回路板と上ケースとに挟まれており、放熱部が貫通孔に収容され、ＬＥＤ回路板からの熱が熱伝導部に伝導されて放熱部を経由して上板の外部に放熱し、ＬＥＤ回路板には、対流によりＬＥＤ回路板の温度を降下する対流部が形成される。【選択図】図３
0003165468.tif 000002
【実用新案登録請求の範囲】
【請求項１】
上ケースを含み、前記上ケースは一つの上板と複数のサイド板とから構成される収容空間を含み、前記収容空間内に嵌合体が複数設けられ、複数の前記嵌合体により前記上板の底面に複数のＬＥＤ回路板がそれぞれ嵌合され、前記上板には、前記各ＬＥＤ回路板に応じて貫通孔がそれぞれ設けられ、前記各貫通孔に一つの熱伝導片が配され、前記熱伝導片には、少なくとも一つの放熱部と、複数の熱伝導部と、が形成され、前記熱伝導部が前記ＬＥＤ回路板と前記上ケースとに挟まれており、前記放熱部が前記貫通孔に収容され、前記ＬＥＤ回路板からの熱が前記熱伝導部に伝導されて前記放熱部を経由して前記上板の外部に放熱し、前記ＬＥＤ回路板には、対流により前記ＬＥＤ回路板の温度を降下する対流部が形成されることを特徴とするＬＥＤ照明装置用放熱構造。
【請求項２】
前記嵌合体は、第１嵌合体と、第２嵌合体と、を含み、前記第１嵌合体に開口も設けられることを特徴とする、請求項１に記載のＬＥＤ照明装置用放熱構造。
【請求項３】
前記熱伝導片と前記ＬＥＤ回路板との形状は条状を呈し、前記熱伝導片には、複数の放熱部と、複数の第１熱伝導部と、複数の第２熱伝導部と、が設けられることを特徴とする、請求項１に記載のＬＥＤ照明装置用放熱構造。
【考案の詳細な説明】
【技術分野】
【０００１】
本考案は、ＬＥＤ照明装置に関し、特に、ＬＥＤ回路板からの熱が熱伝導部に伝導されて放熱部を経由して上板の外部に放熱し、ＬＥＤ回路板には、対流によりＬＥＤ回路板の温度を降下する対流部が形成され、寿命を有効に延長できるＬＥＤ照明装置に関するものである。
【背景技術】
【０００２】
従来のＬＥＤ照明装置は、図１に示すように、収容空間２を有する上ケース１を含み、収容空間２の内側に規制体３が複数設けられ、上ケース１の下には、透光性マスク４を有する下ケース５が嵌合される。規制体３により複数のＬＥＤ回路板６が規制される。ＬＥＤ回路板６には、複数のＬＥＤランプと、電子回路と、複数の電子部品と、が設けられる。
【０００３】
収容空間２が密封空間に近似するため、収容空間２にＬＥＤ回路板６を設置すると、稼動しているＬＥＤランプによる熱を外部に放熱できず、収容空間２内の温度が上昇し易く、これにより、ＬＥＤランプの発光効率が降下し、寿命が短くなる問題があった。
【考案の概要】
【考案が解決しようとする課題】
【０００４】
本考案の主な目的は、稼動しているＬＥＤランプによる熱を外部に放熱でき、ＬＥＤランプの発光効率が降下せず、寿命が長くなるＬＥＤ照明装置用放熱構造を提供することにある。
【課題を解決するための手段】
【０００５】
本考案のＬＥＤ照明装置用放熱構造によると、上ケースを含み、前記上ケースは一つの上板と複数のサイド板とから構成される収容空間を含み、前記収容空間内に嵌合体が複数設けられ、複数の前記嵌合体により前記上板の底面に複数のＬＥＤ回路板がそれぞれ嵌合され、前記上板には、前記各ＬＥＤ回路板に応じて貫通孔がそれぞれ設けられ、前記各貫通孔に一つの熱伝導片が配され、前記熱伝導片には、少なくとも一つの放熱部と、複数の熱伝導部と、が形成され、前記熱伝導部が前記ＬＥＤ回路板と前記上ケースとに挟まれており、前記放熱部が前記貫通孔に収容され、前記ＬＥＤ回路板からの熱が前記熱伝導部に伝導されて前記放熱部を経由して前記上板の外部に放熱し、前記ＬＥＤ回路板には、対流により前記ＬＥＤ回路板の温度を降下する対流部が形成されることを特徴とする。
【０００６】
本考案のＬＥＤ照明装置用放熱構造によると、前記嵌合体は、第１嵌合体と、第２嵌合体と、を含み、前記第１嵌合体に開口も設けられることを特徴とする。
【０００７】
本考案のＬＥＤ照明装置用放熱構造によると、前記熱伝導片と前記ＬＥＤ回路板との形状は条状を呈し、前記熱伝導片には、複数の放熱部と、複数の第１熱伝導部と、複数の第２熱伝導部と、が設けられることを特徴とする。
【考案の効果】
【０００８】
本考案のＬＥＤ照明装置用放熱構造によれば、稼動しているＬＥＤランプによる熱を外部に放熱でき、ＬＥＤランプの発光効率が降下せず、寿命が長くなるという効果を有する。
【図面の簡単な説明】
【０００９】
【図１】従来のものの組合済み状態の斜視図である。
【図２】本考案の第１実施例の組合済み状態の斜視図である。
【図２Ａ】図２のＡ−Ａ線の拡大断面図である。
【図２Ｂ】図２のＢ−Ｂ線の拡大断面図である。
【図３】本考案の第１実施例の一部の分解斜視図である。
【図４】本考案の第２実施例の一部の拡大断面図である。
【図５】本考案の第３実施例の一部の拡大断面図である。
【考案を実施するための形態】
【００１０】
以下、本考案の実施の形態を図面に基づいて説明する。
まず、図２及び図３を参照する。本考案のＬＥＤ照明装置用放熱構造は、上ケース１０と、下ケース４０と、を含む。
【００１１】
上ケース１０は一つの上板１０ａと複数のサイド板とから構成される収容空間１１を含む。収容空間１１内には、複数の第１嵌合体１２と、複数の第２嵌合体１３と、が設けられる。複数の嵌合体１２、１３により上板１０ａの底面に複数のＬＥＤ回路板２０がそれぞれ嵌合される。上板１０ａには、各ＬＥＤ回路板２０に応じて貫通孔１４がそれぞれ設けられる。各貫通孔１４に一つの熱伝導片３０が配される。熱伝導片３０の材料はアルミ又は銅を採用する。熱伝導片３０には、一つの放熱部３１と、二つの熱伝導部３２と、が形成される。放熱部３１が貫通孔１４に収容される。ＬＥＤ回路板２０には、対流によりＬＥＤ回路板２０の温度を降下する対流部３３が形成される。二つの熱伝導部３２がＬＥＤ回路板２０と上ケース１０ａとに挟まれている。ＬＥＤ回路板２０には、複数のＬＥＤランプと、電子回路と、複数の電子部品と、が設けられる。
【００１２】
下ケース４０が上ケース１０の正面に嵌合され、これにより、収容空間１１が密封空間になる。下ケース４０は、更に、透光性マスク５０を含む。
【００１３】
熱伝導片３０の熱伝導部３２がＬＥＤ回路板２０と上ケース１０ａとに挟まれているため、ＬＥＤ回路板２０からの熱が熱伝導部３２に伝導され、そして放熱部３１が貫通孔１４に収容され上ケース１０に遮蔽されず、これにより、熱伝導部３２に伝導される熱は放熱部３１を経由して上板１０ａの外部に放熱できる。そうすると、ＬＥＤ回路板２０からの熱を有効に放熱できる。
【００１４】
図２Ｂを参照する。対流部３３は熱伝導片３０とＬＥＤ回路板２０との間に形成される。対流部３３により、対流効果を利用してＬＥＤ回路板２０の温度を降下することができる。
【００１５】
図３及び図４を参照する。第１嵌合体１２に開口１５も設けられる。熱伝導部３２は、開口１５に収容され、上板１０ａに遮蔽されないため、熱伝導部３２に伝導される熱は開口１５を経由して上板１０ａの外部に直接に放熱できる。そうすると、ＬＥＤ回路板２０からの熱を有効に放熱できる。
【００１６】
図５を参照する。熱伝導片３０ａとＬＥＤ回路板２０との形状は条状を呈する。熱伝導片３０ａには、複数の放熱部３１ａと、複数の第１熱伝導部３２ａと、複数の第２熱伝導部３２ｂと、複数の対流部３３ａと、が設けられる。複数の第１熱伝導部３２ａと複数の第２熱伝導部３２ｂとにより、熱のＬＥＤ回路板２０から熱伝導片３０ａへの伝導効率が更に増加する。そうすると、ＬＥＤ回路板２０からの熱を有効に放熱できる。
【産業上の利用可能性】
【００１７】
本考案は、ＬＥＤ照明装置に適用することができる。
【符号の説明】
【００１８】
１：上ケース
２：収容空間
３：規制体
４：透光性マスク
５：下ケース
６：ＬＥＤ回路板
１０：上ケース
１０ａ：上板
１１：収容空間
１２：第１嵌合体
１３：第２嵌合体
１４：貫通孔
１５：開口
２０：ＬＥＤ回路板
３０：熱伝導片
３０ａ：熱伝導片
３１：放熱部
３１ａ：放熱部
３２：熱伝導部
３２ａ：第１熱伝導部
３２ｂ：第２熱伝導部
３３：対流部
３３ａ：対流部
４０：下ケース
５０：透光性マスク
【図１】
0003165468.tif 000003
【図２】
0003165468.tif 000004
【図２Ａ】
0003165468.tif 000005
【図２Ｂ】
0003165468.tif 000006
【図３】
0003165468.tif 000007
【図４】
0003165468.tif 000008
【図５】
0003165468.tif 000009